(57)【特許請求の範囲】
【請求項１】
浴室の出入口である出入口用開口部を有した枠体と、
前記出入口用開口部を開閉する障子を備えた浴室建具であって、
前記枠体の下枠は、前記障子を移動自在にガイドするレールを有し、そのレールよりも見込み方向浴室側の上面はほぼフラットな水平面で、かつ水勾配が付けられた下枠本体と、前記出入口用開口部を形成する左右の縦枠に連結して取り付けられ、前記下枠本体の上面を覆い浴室床に接するカバー部材を備え、
前記下枠本体の上面とカバー部材の下面との間に排水空間を形成していると共に、カバー部材の上面が脱衣室側よりも浴室側が低くなるように傾斜し、かつ前記レールとほぼ同一高さで、
前記カバー部材は、カバー部材本体と、そのカバー部材本体の長手方向両端部に設けた端部キャップを備え、
この各端部キャップは、前記左右の縦枠の見付け方向に対向した内側面にそれぞれ固着した連結部材に嵌まり合う取付部を有し、その各取付部と各連結部材を嵌め合うことで端部キャップを縦枠の内側面に連結することで、カバー部材を左右の縦枠間に亘って取り付け、
前記端部キャップの取付部を、その端部キャップの下面及び縦枠の内側面と対向した端面に開口した凹陥部とし、
前記連結部材を、前記凹陥部が嵌合する形状としたことを特徴とする浴室建具。
【請求項２】
前記カバー部材は、下面に撓み防止部材を有したカバー部材本体と、このカバー部材本体の長手方向両端部に設けられ、前記左右の縦枠の見付け方向に対向した内側面にそれぞれ連結される端部キャップを備え、
その撓み防止部材を、下枠本体の上面に接した請求項１記載の浴室建具。
【請求項３】
前記枠体は、縦骨を境として見付け方向一側に浴室の出入口である出入口用開口部を有し、前記縦骨を境として見付け方向他側に壁部と障子引込み部を有し、
前記障子は、出入口用開口部を開閉自在に設けられ、その出入口用開口部を開放したときには前記障子引込み部に収納され、
前記下枠のカバー部材は、出入口用開口部を形成する縦枠と縦骨に連結して取り付けられ、前記下枠本体のレールは障子引込み部まで連続し、
前記下枠本体の障子引込み部に、壁部を形成するパネルを支持する下枠アタッチメントを前記縦骨のほぼ内側面まで連続して取り付け、
この下枠アタッチメントは水密材を介して下枠本体の上面に接し、その下枠アタッチメントの見込み方向脱衣室側面と下枠本体の上面の接触部に沿って縦骨に向けて水が引水されるようにした請求項１又は２記載の浴室建具。
【発明の詳細な説明】
【技術分野】
【０００１】
本発明は、浴室の出入口を開閉するための浴室建具に関する。
【背景技術】
【０００２】
従来、浴室の出入口を開閉するための浴室建具として、上枠と下枠と左右の縦枠を方形枠状に連結した枠体内に、障子を開閉自在に設けた建具が一般的である。
一方、脱衣室の床面から下枠の上面を経て浴室の床面まで、高さがほぼ一定な略フラットな面としたバリアフリータイプの浴室建具が提案されている。
このようなバリアフリータイプの浴室建具においては、浴室からの水が下枠を越えて脱衣室側に流出することを防止することが重要であり、従来からの種々の浴室建具が提案されている。
例えば、特許文献１に開示したように、枠体の下枠を、下枠本体と、この下枠本体の上面側に取り付けるカバー部材とを備え、その下枠本体の上面とカバー部材の下面の間に排水空間を形成した浴室建具が知られている。
【先行技術文献】
【特許文献】
【０００３】
【特許文献１】特開２０１１−６９５１号公報
【発明の概要】
【発明が解決しようとする課題】
【０００４】
前述した従来の浴室建具であれば、浴室からカバー部材に流れ込んだ水が、排水空間に流れ落ちるので、浴室からの水が下枠を越えて脱衣室側に流出することを防止できる。
このような下枠を備えた浴室建具においては、排水空間に水が流れることによって、下枠本体の上面が汚れることがあるので、そのカバー部材を取り外し、下枠本体の上面を清掃することがある。
しかしながら、前述した従来の浴室建具の下枠は、下枠本体の上面に複数の取付部材をビスによって固定し、これらの取付部材にカバー部材を係止して下枠本体に取り付けているので、前述のようにカバー部材を取り外して下枠本体の上面を清掃する際に、その下枠本体の上面に固定した取付部材が邪魔になり、下枠本体の上面を清掃することがやりづらく、面倒であった。
【０００５】
本発明の目的は、枠体の下枠を、下枠本体の上面とカバー部材との間に排水空間を有したものとして、浴室からの水が下枠を越えて脱衣室側に流出することがないようにできると共に、その下枠本体の上面を簡単に清掃できるようにしたバリアフリータイプの浴室建具とすることである。
【課題を解決するための手段】
【０００６】
本発明の浴室建具は、浴室の出入口である出入口用開口部を有した枠体と、
前記出入口用開口部を開閉する障子を備えた浴室建具であって、
前記枠体の下枠は、前記障子を移動自在にガイドするレールを有し、そのレールよりも見込み方向浴室側の上面はほぼフラットな水平面で、かつ水勾配が付けられた下枠本体と、前記出入口用開口部を形成する左右の縦枠に連結して取り付けられ、前記下枠本体の上面を覆い浴室床に接するカバー部材を備え、
前記下枠本体の上面とカバー部材の下面との間に排水空間を形成していると共に、カバー部材の上面が脱衣室側よりも浴室側が低くなるように傾斜し、かつ前記レールとほぼ同一高さで、
前記カバー部材は、カバー部材本体と、そのカバー部材本体の長手方向両端部に設けた端部キャップを備え、
この各端部キャップは、前記左右の縦枠の見付け方向に対向した内側面にそれぞれ固着した連結部材に嵌まり合う取付部を有し、その各取付部と各連結部材を嵌め合うことで端部キャップを縦枠の内側面に連結することで、カバー部材を左右の縦枠間に亘って取り付け、
前記端部キャップの取付部を、その端部キャップの下面及び縦枠の内側面と対向した端面に開口した凹陥部とし、
前記連結部材を、前記凹陥部が嵌合する形状としたことを特徴とする浴室建具
【０００７】
本発明の浴室建具においては、前記カバー部材は、下面に撓み防止部材を有したカバー部材本体と、このカバー部材本体の長手方向両端部に設けられ、前記左右の縦枠の見付け方向に対向した内側面にそれぞれ連結される端部キャップを備え、
その撓み防止部材を、下枠本体の上面に接するようにできる。
このようにすれば、カバー部材本体の上に人が乗ったときに、そのカバー部材本体が下向きに撓むことを防止できる。
【００１０】
本発明の浴室建具においては、前記枠体は、縦骨を境として見付け方向一側に浴室の出入口である出入口用開口部を有し、前記縦骨を境として見付け方向他側に壁部と障子引込み部を有し、
前記障子は、出入口用開口部を開閉自在に設けられ、その出入口用開口部を開放したときには前記障子引込み部に収納され、
前記下枠のカバー部材は、出入口用開口部を形成する縦枠と縦骨に連結して取り付けられ、前記下枠本体のレールは障子引込み部まで連続し、
前記下枠本体の障子引込み部に、壁部を形成するパネルを支持する下枠アタッチメントを前記縦骨のほぼ内側面まで連続して取り付け、
この下枠アタッチメントは水密材を介して下枠本体の上面に接し、その下枠アタッチメントの見込み方向脱衣室側面と下枠本体の上面の接触部に沿って縦骨に向けて水が引水されるようにできる。
このようにすれば、障子引込み部に流れた水を縦骨まで流すことができる。
【発明の効果】
【００１１】
本発明の浴室建具は、浴室から水が下枠を越えて脱衣室側に流出することがないと共に、カバー部材を取り外すことで下枠本体の上面を簡単に清掃できるバリアフリータイプの浴室建具である。
カバー部材を左右の縦枠間に位置させて下方に動かすことで凹陥部が連結部材に嵌合してカバー部材を取り付けできるし、取り付けてあるカバー部材を上方に動かすことで凹陥部が連結部材から抜け出してカバー部材を取り外しできるから、カバー部材を簡単に取り付け、取り外しできる。
【図面の簡単な説明】
【００１２】
【図１】本発明の実施の形態を示す浴室建具の概略正面図である。
【図２】図１のＡ−Ａ拡大詳細断面図である。
【図３】図１のＢ−Ｂ拡大詳細断面図である。
【図４】図１のＣ−Ｃ拡大詳細断面図である。
【図５】図４の下枠部分の拡大図である。
【図６】図２の出入口用開口部部分の拡大図である。
【図７】図６のＤ−Ｄ断面図である。
【図８】図６の浴室側から見たカバー部材を取り外した状態の正面図である。
【図９】図２の障子引込み部部分の拡大図である。
【図１０】図９のＥ−Ｅ断面図である。
【図１１】図９のＦ−Ｆ断面図である。
【図１２】縦骨部分の斜視図である。
【発明を実施するための形態】
【００１３】
図１は、本発明の浴室建具を浴室側から見た概略正面図で、図２以降に示す浴室建具とは形状、寸法などが相違する。
本発明の浴室建具の枠体１は、浴室の出入口である出入口用開口部１ａを有し、その枠体１に障子２が出入口用開口部１ａを開閉自在に設けてある。
この枠体１は、一方の縦枠１０と他方の縦枠１１とに亘って上枠１２、下枠１３が連結されていると共に、その上枠１２、下枠１３の長手方向中間部間に亘って縦骨１４が連結され、この縦骨１４と一方の縦枠１０との間に出入口用開口部１ａを形成している。つまり、縦骨１４と一方の縦枠１０が出入口用開口部１ａを形成する左右の縦枠である。
そして、縦骨１４と他方の縦枠１１と上枠１２と下枠１３の下枠アタッチメント１５とでパネル装着用開口部１ｂを形成し、そのパネル装着用開口部１ｂにパネル１６を装着して壁部１ｃとしてある。
【００１４】
図２に示すように、縦骨１４は下枠１３（上枠１２）の見込み方向浴室側寄りに設けてあり、壁部１ｃは枠体１の見込み方向浴室側端に位置し、枠体１における壁部１ｃの見込み方向脱衣室側寄りに障子引込み部１ｄを有する。
そして、障子２を見付け方向（左右方向）に移動して出入口用開口部１ａを開放したときに、その障子２が障子引込み部１ｄに引き込まれて収納され、引き込みタイプの引戸としてある。
【００１５】
図２に示すように、一方の縦枠１０の見込み寸法が他方の縦枠１１の見込み寸法よりも大きく、一方の縦枠１０の見込み方向浴室側端１０ａは他方の縦枠１１の見込み方向浴室側端１１ａよりも見込み方向浴室側に突出し、その一方の縦枠１０の見込み方向浴室側端１０ａは縦骨１４の見込み方向浴室側端１４ａと見込み方向に同一位置である。
他方の縦枠１１の見込み方向浴室側端部と、縦骨１４は縦パネル取付部１１ｂ，１４ｂが見付け方向（左右方向）に相対向してそれぞれ有している。
【００１６】
図３に示すように、上枠１２、下枠アタッチメント１５は見付け方向（上下方向）に相対向した横パネル取付部１２ａ，１５ａをそれぞれ有し、この横パネル取付部１２ａ，１５ａと前述の縦パネル取付部１１ｂ，１４ｂに亘ってパネル１６を取り付けて壁部１ｃとしてある。
【００１７】
上枠１２における一方の縦枠１０と縦骨１４との間の部分、つまり障子２で開閉される出入口用開口部１ａの上枠１２は、図４に示すように横パネル取付部１２ａを有した部分を切断等して除去し、その部分に上枠アタッチメント１２ｂを見込み方向浴室側に突出して取り付け、この上枠アタッチメント１２ｂで障子２の上部をカバーしている。
【００１８】
図２に示すように、下枠１３は一方の縦枠１０と他方の縦枠１１とに亘って取り付けてある。
この下枠１３の出入口用開口部１ａを形成する部分（一方の縦枠１０と縦骨１４との間の部分）は、図２と図４に示すように下枠本体１３ａとカバー部材１３ｂを備えている。
そして、下枠１３の障子引込み部１ｄを形成する部分（他方の縦枠１１と縦骨１４との間の部分）は、前述した下枠本体１３ａのみで、その下枠本体１３ａにおける見込み方向浴室側寄り部分が切断等して除去され、その見込み方向浴室側端に前述した下枠アタッチメント１５が取り付けてある。
【００１９】
障子２は、上框２０と下枠２１と戸先框２２と戸尻框２３を方形状に連結し、その内部にガラスや樹脂プレートなどのパネル２４を装着してある。
この障子２が閉じ位置のときには図２に示すように、戸先框２２が一方の縦枠１０に当接すると共に、戸尻框２３が縦骨１４の見込み方向脱衣室側面１４ｃと対向し、障子２が開き位置のときには前述の障子引込み部１ｄに収納される。
【００２０】
下枠１３の出入口用開口部１ａを形成する部分を、図５〜図８に基づいて詳細に説明する。なお、図５〜図８は枠体１のみを図示し、障子２は図示していない。
下枠１３の下枠本体１３ａは、その上面３０における見込み方向脱衣室側寄りに障子ガイド部としてのレール３１を有し、このレール３１よりも見込み方向浴室側寄りの上面３０はほぼフラットな水平面で、かつ見込み方向浴室側に向けて水が流れるように傾斜、つまり水勾配が付けられている。
下枠本体１３ａの見込み方向脱衣室側端（基端）に取付片３２が設けてあり、この取付片３２が脱衣室床３３に固着具で固着される。
下枠本体１３ａの見込み方向浴室側部（先端部）３４は、図４に示すように、浴室床（防水パン）３５の排水溝３５ａ内に嵌まり込み、その上面３０に沿って流れる水が排水溝３５ａ内に流れ落ちるようにしてある。
【００２１】
下枠本体１３ａのレール３１は図２に示すように障子引込み部１ｄまで連続している。
下枠本体１３ａの下面３６における見込み方向中間部には突出部３７が長手方向に連続して有し、この突出部３７は図２、図３に示すようにレール３１とパネル体１６との見込み方向中間に位置している。
図５に示す突出部３７は、下枠本体１３ａを縦枠１０，１１に固着するビスが螺合するビスホールとしてある。
【００２２】
カバー部材１３ｂは、カバー部材本体４０と、このカバー部材本体４０の長手方向両端部に設けた端部キャップ５０を備えている。
このカバー部材本体４０の見込み方向脱衣室側端部（基端部）４１はレール３１に接近していると共に、止水材４２が装着され、障子２を閉じた状態で、図４に示すようにその止水材４２に障子２（下框２１の浴室側面）が接するようにしてある。
カバー部材本体４０の見込み方向浴室側端部（先端部）４３は下枠本体１３ａの先端部３４よりも見込み方向浴室側に突出し、図４に示すように、前述の浴室床３５まで突出し、その先端部４３に設けた止水材４４が浴室床３５に接している。
つまり、カバー部材本体４０は下枠本体１３ａの略フラットな水平面を覆い、その先端部４３は止水材４４を介して浴室床３５に接している。
【００２３】
そして、カバー部材本体４０の上面４５は、レール３１、取付片３２と略同一高さで、脱衣室の床面から下枠１３の上面を経て浴室床まで、高さがほぼ一定な略フラット面で、脱衣室側寄りも浴室側が低くなるように傾斜したバリアフリータイプの浴室建具としてある。
【００２４】
各端部キャップ５０は取付部５１を有し、この各取付部５１を、一方の縦枠１０、縦骨１４の見付け方向に対向した内側面１０ｂ，１４ｄにおける下部に固着した連結部材６０に嵌まり合うように連結して各端部キャップ５０を一方の縦枠１０、縦骨１４の内側面１０ｂ，１４ｄの下部に連結することで、カバー部材１３ｂを一方の縦枠１０と縦骨１４とに亘って取り付けている。
そして、下枠本体１３ａの上面３０とカバー部材本体４０の下面４６との間に排水空間Ｓを形成している。
【００２５】
このようであるから、浴室の水がカバー部材本体４０の上面４５に沿って障子２に向けて流れると、その水は、障子２とカバー部材本体４０の基端部４１との間が止水材４２で止水されているので、脱衣室側に流出することがない。
そして、多量の水が流れて止水材４２の止水能力を越えた場合等には、その水は排水空間Ｓに流れ落ち、下枠本体１３ｂの上面３０に沿って浴室床３５の排水溝３５ａに流れる。
このようであるから、浴室の水が下枠１３を越えて脱衣室側に流出することがない。
【００２６】
しかも、端部キャップ５０を一方の縦枠１０、縦骨１４の内側面１０ｂ，１４ｄの下部に固着した連結部材６０に連結することで、カバー部材１３ｂを取り付けているので、下枠本体１３ａの上面３０にはカバー部材１３ｂを取り付けるための部材が存在しないと共に、カバー部材１３ｂを取り外して下枠本体１３ａの上面３０を清掃する際に連結部材６０が邪魔になることがなく、下枠本体１３ａの上面３０を容易に清掃することができる。
【００２７】
前述したように各端部キャップ５０を一方の縦枠１０、縦骨１４に連結することでカバー部材１３ｂを取り付けすると、カバー部材１３ｂ（カバー部材本体４０）の上に人が乗ったときに、カバー部材本体４０が下向きに撓む恐れがあるので、図５に示すように、カバー部材本体４０の下面４６に撓み防止部材４７を設け、この撓み防止部材４７を下枠本体１３ａの上面３０に接することで、カバー部材本体４０に人が乗ったときに下向きに撓むことがないようにしてある。
【００２８】
この撓み防止部材４７は、カバー部材本体４０の下面４６に長手方向に連続して一体に設けた下向片４７ａと、この下向片４７ａに設けられ下枠本体１３ａの上面３０に接する当接材４７ｂを有している。
このようであるから、カバー部材本体４０を金属製、例えばアルミ押出形材で作製し、当接材４７ｂは軟質材、例えば樹脂とすることで、カバー部材本体３０自体を強度の強いものとすることができると共に、下枠本体１３ａと金属接触しないようにできる。
【００２９】
図５においては、カバー部材本体４０の下面４６に見込み方向に間隔を置いて下向片４７ａが一体に設けてある。
その見込み方向脱衣室側寄りの下向片４７ａは、下向き凹部を有し、その下向き凹部に当接材４７ｂを嵌合して取り付け、その当接材４７ｂを下枠本体１３ａの上面３０における見込み方向脱衣室側寄りの水平面３０ａに接している。
また、見込み方向浴室側寄りの下向片４７ａは逆Ｔ字形状で、その下向片４７ａの見込み方向両側に、ほぼＬ字形状の当接材４７ｂを係止してそれぞれ取り付け、その各当接材４７ｂを下枠本体１３ａの上面３０における見込み方向浴室側寄りの水平面３０ｂに接している。
これにより、カバー部材本体４０を、下枠本体１３ａにおける見込み方向に離隔した２ヶ所の水平面３０ａ，３０ｂで安定して支持することができる。なお、当接材４７ｂを長手方向に連続させずに、下向片４７ａの長手方向の複数箇所に当接材４７ｂが存在しないようにしても良い。
【００３０】
次に、端部キャップ５０の取り付けを詳細に説明する。
端部キャップ５０は、上面板５２と、この上面板５２の下面に設けられカバー部材本体４０の端面に接する縦板５３と、この縦板５３に設けた取付横片５４を備え、その取付横片５４をカバー部材本体４０の下面４６に設けた下向き凹部４８、例えば撓み防止部材４７間に長手方向から挿入し、縦板５３をカバー部材本体４０の端面に接して取り付ける。
【００３１】
端部キャップ５０の上面板５２はカバー部材本体４０の上面４５と面一に連続し、その上面板５２における見込み方向中間部分５２ａは他の部分よりも上方に突出している。この突出した部分には、図５、図６、図７に示すように端部キャップ５０のカバー部材本体４０と見付け方向反対側の端面、つまり一方の縦枠１０の内側面１０ｂ、縦骨１４の内側面１４ｄと対向した端面５０ａと下面５０ｂに開口した下向きの凹陥部５５が形成してあり、この凹陥部５５が前述の取付部５１である。
例えば、上面板５２の見込み方向中間部分５２ａの下面に２つの下向突条５６を見込み方向に間隔を置いて一体に設け、その２つの下向突条５６間に前述の凹陥部５５を形成している。
【００３２】
前述の連結部材６０は、この凹陥部５５に嵌合するブロック形状で、その連結部材６０の見付け方向一側面６１と他側面６２とに貫通した孔６３を有し、この孔６３に挿通したビス６４を一方の縦框１０、縦骨１４に螺合することで、連結部材６０を一方の縦框１０、縦骨１４に、その内側面１０ｂ，１４ｄよりも突出して取り付けてある。
【００３３】
そして、カバー部材１３ｂを取り付ける場合には、各端部キャップ５０の凹陥部５５を各連結部材６０の上方に位置決めして配設し、カバー部材本体４０とともに端部キャップ５０を下方に向けて動かして各端部キャップ５０の凹陥部５５を各連結部材６０に嵌合することで、カバー部材１３ｂを一方の縦枠１０と縦骨１４とに跨って取り付ける。
カバー部材１３ｂを取り外しするときには、カバー部材本体４０とともに端部キャップ５０を上方に向けて移動し、各凹陥部５５を連結部材６０から抜き出すことで、カバー部材１３ｂを取り外しする。
【００３４】
このようであるから、カバー部材１３ｂを簡単に取り付け、取り外しでき、下枠本体１３ａの上面３０を清掃する際に便利である。
また、端部キャップ５０の上方に突出した部分に凹陥部５５を形成したので、その凹陥部５５の深さ（上下方向の寸法）を下枠本体１３ａの上面３０とカバー部材本体４０の下面４６との間の隙間よりも大きくでき、連結部材６０を上下寸法が大きく強度のあるものとし、かつ連結部材６０と凹陥部５５の嵌合代を大きくして端部キャップ５０をしっかりと一方の縦枠１０、縦骨１４に連結して取り付けできる。
しかも、端部キャップ５０の凹陥部５５を形成した部分の下面が下枠本体１３ａの上面３０と接しないようにして、端部キャップ５０の下面と下枠本体１３ａの上面３０との間に排水空間Ｓを形成することができる。
【００３５】
端部キャップ５０の端面５０ａと一方の縦枠１０の内側面１０ｂ、縦骨１４の内側面１４ｄとの間を図示しない水密材を用いて水密してある。
また、一方の端部キャップ５０の上面板５２の脱衣室側のコーナー部に止水材（シート状の水密材）５７を設け、一方の縦枠１０の縦水密材１０ｃを取り付ける縦水密材取付部１０ｄの下面を止水材５７に接し、縦水密材１０ｃと端部キャップ５０の上面板５２との間を水密するようにしても良い。
図７に示すように、連結部材６０の下面と下枠本体１３ａの上面３０とは離隔しているが、その連結部材６０の下面を下枠本体１３ａの上面３０に接するようにしても良い。
【００３６】
次に、障子引込み部１ｄについて説明する。
図９に示すように、縦骨１４は、見付け方向に対向した内側板７０、外側板７１と、見込み方向に対向した基端板７２、先端板７３で矩形筒形状の本体７４と、その基端板７２と連続して見付け方向に向かう取付板７５と、この取付板７５と連続し見付け方向の他方の縦枠１１に向かう鉤形板７６を有している。
下枠本体１３ａの障子引込み部１ｄを形成する部分は、図２、図９に示すように前述した突出部３７よりも見込み方向浴室側部分を切断して除去し、その突出部３７の浴室側に向かう浴室側面３７ａを縦骨１４、下枠アタッチメント１５の取付面としている。
そして、図９、図１０に示すように縦骨１４の取付板７５を突出部３７にビス７７で固着し、縦骨１４の見込み方向脱衣室側面１４ｃ（基端板７２、取付板７５）と突出部３７との間を縦骨用水密材７８で水密している。
縦骨１４の内側面１４ｄ（内側板７０）を下枠本体１３ａの残存した見込み方向浴室側部分の長手方向の端面に接し、ビスで固着して連結している。その連結部は湿式のシール材で水密してある。
【００３７】
縦骨１４にパネル１６の縦縁部は次のように取り付けられる。
縦骨１４の鉤形板７６に押縁材７６ａを係止して取り付けてパネル１６の縦縁部を支持する縦パネル取付部１４ｂとしてある。他方の縦枠１１の縦パネル取付部１１ｂもこの縦パネル取付部１４ｂと同様である。
【００３８】
縦骨１４の本体７４の基端板７２には縦水密材７９ａが装着してあると共に、障子２の戸尻框２３に設けた内煙返し２３ａ（図２参照）と係合する外煙返し７９ｂが設けてある。
このようであるから、障子２を閉じたときに、戸尻框２３と縦骨１４との間を確実に引寄せて水密できる。
【００３９】
図１１に示すように、下枠アタッチメント１５は下枠本体１３ａの突出部３７に固着具で固着して取り付けてある。
下枠アタッチメント１５は、横向板８０の見込み方向浴室側に上向き凹部８１を有し、その横向板８０の見込み方向脱衣室側に縦向板８２を下向きに有している。この縦向板８２の下端に前述の突出部３７に嵌合するコ字形状の取付部８３を設けると共に、縦向板８２の下端寄りに鉤片８４を見込み方向脱衣室側に向けて設けて下向きの凹部８５を形成している。
そして、取付部８３を突出部３７に嵌合し、ビス８６で固着して取り付けると共に、その取付部８３と突出部３７の浴室側面３７ａとの間に水密材８７を介在すると共に、下向き凹部８５に設けたアタッチメント用水密材８８を下枠本体１３ａの上面３０に接して下枠アタッチメント１５の取付部分を水密している。
【００４０】
下枠アタッチメント１５の横向板８０と取付部８３は縦骨１４の鉤片７６の見込み方向に向かう突出片７６ｂまでの長さで、横向片８０は鉤片７６内に入り込み、その上向き凹部８１でパネル１６の下縁部を支持する。
そして、下枠アタッチメント１５の縦向板８２と鉤片８４は、横向板８０、取付部８３よりも長く、縦骨１４のほぼ内側面１４ｄまで連続して縦骨１４の見込み方向脱衣室側面１４ｃと相対向している。つまり、下枠アタッチメント１５の横向板８０、取付部８３の長手方向端部寄りを切断して除去している。
前述した縦向板８２に縦骨用水密材７８が接し、下枠アタッチメント１５と縦骨１４との間を水密している。
なお、縦骨１４の外煙返し７９ｂの下部寄りは図１２に示すように、切断して除去され、縦水密材７８は外煙返し７９ｂの下端までの長さであり、縦向板８２、鉤片８４が干渉することがない。
【００４１】
図９〜図１２に示すように、下枠アタッチメント１５の鉤片８４の下向片８４ａが下枠アタッチメント１５の見込み方向脱衣室側面１５ｂで、この面と下枠本体１３ａの上面３０が接触する部分が引水部を形成し、この接触部に溜まった水が表面張力で縦骨１４に向けて流れるようにしてある。
【００４２】
このようであるから、下枠本体１３ａの障子引込み部１ｄに流れた水は、下枠本体１３ａの上面に沿って下枠アタッチメント１５側に向けて流れ、その下枠アタッチメント１５の見込み方向脱衣室側面１５ｂと下枠本体１３ａの上面３０との接触部に沿って縦骨１４に向けて流れ、縦骨１４を越えて下枠本体１３ａの上面３０に沿って浴室床に向けて流れる。
この障子引込み部１ｄの水を排水する構成は、前述した下枠本体１３ａとカバー部材１３ｂより成る下枠１３以外の下枠にも適用できる。例えば、カバー部材１３ｂを下枠本体１３ａの上面３０に取り付けた下枠、下枠本体１３ａのみの下枠に適用できる。
【００４３】
前述の実施の形態は障子２が１枚であるが、これに限ることはなく、障子２を２枚、３枚など複数枚設けても良い。
また、前述の実施の形態では、枠体１は障子引込み部１ｄを有しているが、これに限ることはなく、障子引込み部を有していない通常の引戸、引違い戸等でも良い。
【符号の説明】
【００４４】
１…枠体、１ａ…出入口用開口部、１ｃ…壁部、１ｄ…障子引込み部、２…障子、１０…一方の縦枠、１０ｂ…内側面、１１…他方の縦枠、１３…下枠、１３ａ…下枠本体、１３ｂ…カバー部材、１４…縦骨、１４ｃ…見込み方向脱衣室側面、１４ｄ…内側面、１５…下枠アタッチメント、１５ｂ…見込み方向脱衣室側面、３０…上面、３１…レール、３７…突出部、４０…カバー部材本体、４５…上面、４６…下面、４７…撓み防止部材、５０…端部キャップ、５１…取付部、５５…凹陥部、６０…連結部材。
【図１】
0005626803.tif 000002
【図２】
0005626803.tif 000003
【図３】
0005626803.tif 000004
【図４】
0005626803.tif 000005
【図５】
0005626803.tif 000006
【図６】
0005626803.tif 000007
【図７】
0005626803.tif 000008
【図８】
0005626803.tif 000009
【図９】
0005626803.tif 000010
【図１０】
0005626803.tif 000011
【図１１】
0005626803.tif 000012
【図１２】
0005626803.tif 000013